(57)【要約】【課題】簡易的な構造により浴槽の高さ調整ができるとともに、浴槽底部の位置を固定する接着剤の注入量が均一化でき、且つ接着剤を注入する際の作業スペースを広く確保することができる浴槽の高さ調整構造を提供する。【解決手段】上端縁部の周囲に設けられた壁パネルを設置するための壁設置部を有する浴槽と、浴槽より下方に配設され、浴槽の荷重を支持するための支持材と、支持材より上方に配設され、皿状に形成された上部に浴槽底部が載置された浴槽受皿と、浴槽受皿の上部と浴槽の底部との間に注入された接着剤と、支持材の上部と浴槽受皿の下部との間に介装され、浴槽の設置高さを調整可能なライナー部材と、を備えたことを特徴とする。【選択図】図１
2010075604.tif 000002
【特許請求の範囲】
【請求項１】
浴槽水を貯留可能な内槽部と、前記内槽部の上端縁部の周囲に設けられた壁パネルを設置するための壁設置部とを有する浴槽と、
前記浴槽より下方に配設され、前記浴槽の荷重を支持するための支持材と、
前記支持材より上方に配設され、皿状に形成された上部に浴槽底部が載置された浴槽受皿と、
前記浴槽受皿の上部と、前記浴槽の底部との間に注入された接着剤部と、
前記支持材の上部と前記浴槽受皿の下部との間に介装され、浴槽の設置高さを調整可能なライナー部材と、
を備えたことを特徴とする浴槽の高さ調整構造。
【請求項２】
前記支持材は、高さ調整可能な支持脚ボルトが取り付けられた架台と、前記架台と前記ライナー部材の間に配設され、前記架台に対して取付固定される固定部材と、を備え、
前記固定部材は、前記浴槽受皿に対する水平方向の移動を規制し、且つ鉛直方向に移動可能に形成されていることを特徴とする請求項１記載の浴槽の高さ調整構造。
【発明の詳細な説明】
【技術分野】
【０００１】
本発明は、ユニットバスに用いられる浴槽の高さ調整構造に関する。
【背景技術】
【０００２】
特許文献１には、浴槽のフランジ部の上に壁パネルを設置する構造が開示されている。このように、浴槽のフランジ部の上に壁パネルを設置するタイプのユニットバスは、浴槽自体が構造体の一部を担うこととなるため、浴槽が水平に設置されることが必要となる。そのため、特許文献２に示すように、浴槽に高さ調整可能な支持脚ボルトを取り付け、この支持脚ボルトで浴槽の高さ調整を行い、浴槽を水平に設置させていた。
【特許文献１】特開２００７−９２３４６号公報
【特許文献２】特開２００１−２５８７８０号公報
【発明の開示】
【発明が解決しようとする課題】
【０００３】
浴槽の高さ調整を支持脚ボルトで行う形態は、浴槽にインサートされたナットと、ナットと螺合するボルト脚とが必要であり、更にコストメリットのある構造が要望されている。一方、ライナーと言われる介装材を、浴槽底面と架台などの支持材の間に任意な厚みとなるように挟むことで、浴槽の高さ調整を取る方法がある。この方法であれば、支持脚ボルトを取り付けるのに比べて、簡易的であり、安価に浴槽の高さ調整を行うことが可能となる。
【０００４】
ところが、浴槽底部が設置される部分には、浴槽底部を固定するために接着剤が塗布されるのが一般的であり、接着剤がこぼれ落ちないように、浴槽底部が載置される部分には、皿状の皿部材が設けられる。この皿部材と浴槽底部の間にライナーが介装されると、浴槽底部まで接着剤を満たすためには、接着剤の塗布量がライナーの厚みによって不均一になってしまう。また、予め厚みの大きいライナーが介装された場合でも対応できるように皿部材の縁を高く形成しておく必要が生じてしまう。接着剤の塗布量が不均一になることは施工の不安定化を招くため、好ましくない。また、皿部材の縁部が高く形成されることは、接着剤塗布時の浴槽と皿部材の縁部との間の作業空間を狭めることとなり、施工性を悪化させることになり、好ましくない。
【０００５】
本発明は上述の問題に鑑みてなされ、簡易的な構造により浴槽の高さ調整ができるとともに、浴槽底部の位置を固定する接着剤の注入量が均一化でき、且つ接着剤を注入する際の作業スペースを広く確保することができる浴槽の高さ調整構造を提供することを目的とする。
【課題を解決するための手段】
【０００６】
本発明の一態様によれば、
浴槽水を貯留可能な内槽部と、前記内槽部の上端縁部の周囲に設けられた壁パネルを設置するための壁設置部とを有する浴槽と、
前記浴槽より下方に配設され、前記浴槽の荷重を支持するための支持材と、
前記支持材より上方に配設され、皿状に形成された上部に浴槽底部が載置された浴槽受皿と、
前記浴槽受皿の上部と、前記浴槽の底部との間に注入された接着剤と、
前記支持材の上部と前記浴槽受皿の下部との間に介装され、浴槽の設置高さを調整可能なライナー部材と、
を備えたことを特徴とする浴槽の高さ調整構造、が提供される。
【発明の効果】
【０００７】
本発明によれば、簡易的な構造により浴槽の高さ調整ができるとともに、浴槽底部の位置を固定する接着剤の注入量が均一化でき、且つ接着剤を注入する際の作業スペースを広く確保することができる浴槽の高さ調整構造が提供される。
【発明を実施するための最良の形態】
【０００８】
本発明におけるユニットバスは、図１に示す通り、浴槽１自体に複数の壁パネル５０が載置されており、浴槽１自体がユニットバスの構造体の一部を担っている。浴槽１は浴槽水を貯留可能な内槽部１１と、内槽部１１の上縁部全周から外方側に延出形成されたフランジ部１２と、を備えている。４辺に形成されたフランジ部１２のうち、洗い場と隣接する辺を除く３辺には、壁パネル５０を載置するための壁設置部１３が形成されている。
【０００９】
浴槽１自体に壁パネル５０が載置されるため、浴槽１は水平に設置されることが必要となる。壁設置部１３が水平でないと、壁パネル５０が斜めに傾いたりしてしまうこととなり、隣り合う壁パネル５０間や、壁パネル５０の上端に取り付けられる天井パネル（図示しない）との間に隙間や段差が生じてしまうこととなる。
【００１０】
以下に、浴槽１を水平に設置するための実施形態について詳述する。図２および図３に、本発明における浴槽１の高さ調整構造の第１の実施形態を示す。
【００１１】
図２に示すように、浴槽底部１５の一部（少なくとも４箇所）には浴槽底部１５と一体的に下方に突出した浴槽脚部１６が形成されている。浴槽底部１５の下方には、架台３１および固定部材３２からなる支持材３５と、ライナー部材４０と、浴槽受皿４２と、接着剤部４４と、を備えている。
【００１２】
架台３１は、強度の大きい金属材料で形成されており、高さ調整可能な支持脚ボルト３９が建築床に設置されている。架台３１に設けられた支持脚ボルト３９により、浴槽１の大まかな水平出しを行うとともに、隣接した位置に設置されている洗い場床（図示しない）やユニットバスの出入り口部（図示しない）との相対的な高さが調節される。
【００１３】
尚、架台３１に取り付けられた支持脚ボルト３９だけでは、浴槽１の厳密な水平出しまでを行うことは困難である。よって、架台３１自体でできる水平調整は、あくまでも粗調整であり、微調整は浴槽脚部１６と、架台３１との間で行うことが必要となる。
【００１４】
架台３１上部の、浴槽載置箇所には、上方に開口した凹形状の固定部材３２が架台３１に対してビス固定されている。また、固定部材３２の開口内で水平方向の移動が拘束されるように、同じく凹形状（上部が皿状）をした浴槽受皿４２が取り付けられている。この浴槽受皿４２は、固定部材３２に対してビスなどで固定されておらず、固定部材３２に対しては着脱可能となっている。但し、水平方向の移動に対しては拘束されているため、着脱動作は浴槽が設置されていない状態で鉛直方向に抜き差しすることで行える。
【００１５】
浴槽受皿４２が、固定部材３２に対して水平方向の移動は拘束され、鉛直方向には移動可能とした目的は、ユニットバスの耐震強度を確保するためである。本発明のように、浴槽１がユニットバスの構造体の一部を担うような場合、浴槽１が架台３１などに対して位置がずれることは好ましくない。横揺れに対しては、架台３１に固定された固定部材３２に対して浴槽受皿４２の移動を規制する必要がある。一方、縦揺れに対しては、浴槽受皿４２と固定部材３２の間には、浴槽１、壁パネル５０、天井パネルなどの鉛直方向の荷重が加わっているため、敢えて拘束をしなくとも鉛直方向に位置関係がズレルことはないため、浴槽１が設置されていない状態においては、鉛直方向の移動は可能としている。
【００１６】
固定部材３２上部と浴槽受皿４２下部の間には、ライナー部材４０が介装されている。また、浴槽受皿４２の上部には浴槽脚部１６が載置されている。ライナー部材４０の役割は、浴槽１の水平出しを精密に行うためのものである。浴槽脚部１６が載置される浴槽受皿４２は、少なくとも４個以上取り付けられており、それぞれの浴槽受皿４２の高さを合わせるように、ライナー部材４０の厚みを調整して、浴槽１を水平に設置可能する。
【００１７】
このライナー部材４０による高さ調整は浴槽１を設置する前に行い、各浴槽受皿４２の浴槽脚部１６の接地面を水平状態にする。浴槽１を設置した後に、再度、壁設置部１３の水平確認を行う。これは浴槽１自体に寸法誤差がある場合があるためであり、水平になっていない場合には、再度浴槽１をどかしてライナー部材４０の厚みを再調整することとなる。この際、上述したように、浴槽受皿４２は浴槽１が設置されていない状態では着脱可能なため、容易に水平出し作業を行うことができる。
【００１８】
また、浴槽脚部１６が設置される浴槽受皿４２の開口平面積は、浴槽脚部１６の平面積に比べて広く形成されている。これは、浴槽１を浴槽受皿４２に設置する際に、各部材の寸法誤差や施工誤差を考慮して、これら誤差を許容できるようにしているためである。
【００１９】
また、浴槽脚部１６が設置される浴槽受皿４２の上部には接着剤が充填された接着剤部４４を備えている。この接着剤の役割は２つある。１つ目は、浴槽受皿４２の側壁と浴槽脚部１６との間に生じる水平方向の隙間を塞いで、水平方向の移動を拘束する目的である。水平方向の移動を拘束する理由は上述した通り、耐震上の配慮である。２つ目は、浴槽脚部１６下面と浴槽受皿４２上面の間に形成される鉛直方向の空隙を塞ぐ目的である。浴槽脚部１６下面と浴槽受皿４２上面の間に形成される空隙が存在していると、使用者が浴槽１に乗った際に、音が鳴ってしまうことがあり、音鳴り防止が目的である。
【００２０】
本発明の特徴部の一つは、浴槽受皿４２の下部にライナー部材４０を介装させ、浴槽受皿４２の上部に浴槽脚部１６との隙間を塞ぐ接着剤部４４を設けたことである。このように、接着剤部４４とライナー部材４４の配置をそれぞれ分離させた理由について、以下に説明する。
【００２１】
図６には比較例として、本発明とは異なる構造をしたライナー部材１４０による浴槽の高さ調整構造を示す。この構造では、浴槽受皿１４２の上部と浴槽１０１底部の間にライナー部材１４０を介装させ、ライナー部材１４０を介装された浴槽受皿１４２の上部と浴槽脚部１１６の間に接着剤部１４４を設けている。
【００２２】
比較例である、図６の問題点について以下に説明する。１つ目として、浴槽受皿１４２の上部と浴槽脚部１１６の間にライナー部材１４０を介装させると、当然の事ながら、浴槽受皿１４２の上部から浴槽脚部１１６までの高さが高くなる。ライナー部材１４０は厚みを適宜調整して浴槽１の水平を出すものであるため、その厚みは一定ではない。つまり、接着剤の注入量が不定となってしまう。浴槽１裏側という作業者の目が届きにくい場所で接着剤がしっかり浴槽脚部１１６まで充填されたかどうかを確認することは非常に困難である。つまり、施工の不安定化を招くこととなるため、比較例のような構造は好ましくない。
【００２３】
２つ目として、接着剤の注入量が不定であると、浴槽受皿１４２の上部に形成された側壁（接着剤がこぼれ落ちないようにするためのもの）の高さも、予め高めに形成しておくことが必要となる。浴槽１裏側のスペースは、洗い場床から浴槽１への跨ぎ高さなどの関係もあり、かなり狭い空間である。このような狭い空間であるため、側壁が高く形成されてしまうと、接着剤を注入するスペースが狭くなり作業性を悪化させるとともに、取り合い上の制約が大きくなるという問題も生じる。
【００２４】
一方、本発明によれば、浴槽受皿４２の下部にライナー部材４０を介装させ、浴槽受皿４２の上部に浴槽脚部１６との隙間を塞ぐ接着剤部４４を設ける構成としたため、簡易的な構造により浴槽１の高さ調整ができるとともに、浴槽脚部１６の位置を固定する接着剤の注入量が均一化でき、且つ接着剤を注入する際の作業スペースを広く確保することができる。
【００２５】
次に、本発明における第２の実施形態について説明する。本実施形態は、主に、浴槽１と架台３１との間に水受け防水パン３７が取設されている点が第１の実施形態と相違する。
【００２６】
このように、浴槽１下に防水パン３７が配設される場合であっても、浴槽１のフランジ部１２に、壁設置部１３を設けることはメリットがある。具体的には、防水パン３７に荷重をかけずに浴槽１の荷重を架台３１に伝達することができるためである。防水パン３７に大きな強度が求められないことは、防水パン３７の厚みを薄くしたり、強度の低い材料を採用することが可能になるというメリットがある。
【００２７】
本実施形態では、第１の実施形態で説明した固定部材３２が防水パン３７の底部に形成された貫通孔内に水密的に取り付けられている。固定部材３２は架台３１上に取り付け固定されているため、浴槽１や壁パネル５０の荷重を防水パンを介さずに架台３１に伝達することが可能となる。
【００２８】
本実施形態においても、第１の実施形態と同様に、浴槽受皿４２の下部にライナー部材４０を介装させ、浴槽受皿４２の上部に浴槽脚部１６との隙間を塞ぐ接着剤部４４を設ける構成としたため、簡易的な構造により浴槽１の高さ調整ができるとともに、浴槽脚部１６の位置を固定する接着剤の注入量が均一化でき、且つ接着剤を注入する際の作業スペースを広く確保することができるという効果を享受できる。
【００２９】
更に、本実施形態では、浴槽受皿４２と、ライナー部材４０の平面視中央には貫通孔が形成されている。また、固定部材３２には、貫通孔と上部が連通し、下部が閉塞された窪みが形成されている、この貫通孔および窪みには、柱状のゴム部材３８が着脱可能に取り付けられている。ゴム部材によって、浴槽受皿４２と、ライナー部材４０と、固定部材３２とを、鉛直方向に仮固定されている。上述したように、鉛直方向の拘束は浴槽荷重があるため十分であるが、縦揺れ時に万が一でも、これら部材が鉛直方向にズレないようにしている。鉛直方向に移動しないように仮拘束されているため、浴槽受皿４２とライナー部材４０との間に発生するおそれがある音鳴りや、ライナー部材４０と固定部材３２との間に発生するおそれがある音鳴りも、より確実に防止することが可能となる。
【図面の簡単な説明】
【００３０】
【図１】本発明に係る浴槽の斜視図。
【図２】本発明の第１の実施形態に係る浴槽の高さ調整構造を示す断面図。
【図３】図２における要部の拡大断面図。
【図４】本発明の第２の実施形態に係る浴槽の高さ調整構造を示す断面図。
【図５】図４における要部の拡大断面図。
【図６】比較例に係る浴槽の高さ調整構造を示す断面図。
【符号の説明】
【００３１】
１…浴槽、１１…内槽部、１２…フランジ部、１３…壁設置部、１５…浴槽底部、１６…浴槽脚部、３１…架台、３２…固定部材、３５…支持材、３７…防水パン、３９…支持脚、４０…ライナー部材、４２…浴槽受皿、４４…接着剤部、５０…壁パネル
【図１】
2010075604.tif 000003
【図２】
2010075604.tif 000004
【図３】
2010075604.tif 000005
【図４】
2010075604.tif 000006
【図５】
2010075604.tif 000007
【図６】
2010075604.tif 000008